(57)【要約】【課題】連結時に外側面からの突出部分が生じるのを防ぐことができる杭連結用補強バンド、コンクリート杭およびコンクリート杭の連結構造を提供する。【解決手段】円筒状の受け側補強バンド１１が、一方のコンクリート杭２の一端２ａに取り付けられている。受け側フランジ部１２が、受け側補強バンド１１の先端から間隔をあけた内周面に、周方向に沿って内側に向かって突出して設けられている。円筒状の挿入側補強バンド１３が、他方のコンクリート杭３の一端３ａに取り付けられ、先端に受け側補強バンド１１に挿入可能な挿入部１３ｂを有している。挿入側フランジ部１４が、挿入部１３ｂの先端に、周方向に沿って内側に向かって突出して設けられている。挿入側のコンクリート杭３の挿入部１３ｂが、受け側のコンクリート杭２の受け側補強バンド１１に挿入されて、挿入側フランジ部１４と受け側フランジ部１２とが接着剤で固定されている。【選択図】図１
2014133977.tif 000002
【特許請求の範囲】
【請求項１】
２本のコンクリート杭を長さ方向に連結するための杭連結用補強バンドであって、
一方のコンクリート杭の一端に長さ方向に延長するよう取付可能な円筒状の受け側補強バンドと、
前記受け側補強バンドの先端から間隔をあけた内周面に、周方向に沿って設けられた受け側フランジ部と、
他方のコンクリート杭の一端に取付可能で、先端に前記受け側補強バンドの先端に挿入可能な挿入部を有する円筒状の挿入側補強バンドと、
前記挿入部を前記受け側補強バンドの先端に挿入したとき前記受け側フランジ部に接するよう、前記挿入部の先端に周方向に沿って内側に突出して設けられた挿入側フランジ部とを、
有することを特徴とする杭連結用補強バンド。
【請求項２】
少なくとも一端に、請求項１記載の杭連結用補強バンドのうち、前記受け側補強バンドまたは前記挿入側補強バンドのいずれか一方が取り付けられていることを特徴とするコンクリート杭。
【請求項３】
一端に、請求項１記載の杭連結用補強バンドの前記受け側補強バンドが取り付けられた受け側のコンクリート杭と、
一端に、請求項１記載の杭連結用補強バンドの前記挿入側補強バンドが取り付けられた挿入側のコンクリート杭とを有し、
前記挿入側のコンクリート杭の前記挿入部が、前記受け側のコンクリート杭の前記受け側補強バンドに挿入されて、前記挿入側フランジ部と前記受け側フランジ部とが接着剤で固定されていることを
特徴とするコンクリート杭の連結構造。
【発明の詳細な説明】
【技術分野】
【０００１】
本発明は、杭連結用補強バンド、コンクリート杭およびコンクリート杭の連結構造に関する。
【背景技術】
【０００２】
従来のコンクリート杭の連結構造として、長さ方向に並べた２本のコンクリート杭の内鋼管の凹部にくさび状鉄板を挿入固定し、さらにくさび状鉄板の溝および内鋼管の凹部に跨がって固定ピンを打込み、くさび状鉄板および固定ピンを補強バンドで囲んだものがある（例えば、特許文献１参照）。
【先行技術文献】
【特許文献】
【０００３】
【特許文献１】特開平１０−６０８８４号公報
【発明の概要】
【発明が解決しようとする課題】
【０００４】
特許文献１に記載のような従来のコンクリート杭の連結構造では、くさび状鉄板が杭の外側面から突出してしまうという課題があった。このため、連結したコンクリート杭を横に並べたとき、隣り合うコンクリート杭の間に隙間ができてしまい、杭による連続壁構造を形成することができなかった。
【０００５】
本発明は、このような課題に着目してなされたもので、連結時に外側面からの突出部分が生じるのを防ぐことができる杭連結用補強バンド、コンクリート杭およびコンクリート杭の連結構造を提供することを目的としている。
【課題を解決するための手段】
【０００６】
上記目的を達成するために、本発明に係る杭連結用補強バンドは、２本のコンクリート杭を長さ方向に連結するための杭連結用補強バンドであって、一方のコンクリート杭の一端に長さ方向に延長するよう取付可能な円筒状の受け側補強バンドと、前記受け側補強バンドの先端から間隔をあけた内周面に、周方向に沿って設けられた受け側フランジ部と、他方のコンクリート杭の一端に取付可能で、先端に前記受け側補強バンドの先端に挿入可能な挿入部を有する円筒状の挿入側補強バンドと、前記挿入部を前記受け側補強バンドの先端に挿入したとき前記受け側フランジ部に接するよう、前記挿入部の先端に周方向に沿って内側に突出して設けられた挿入側フランジ部とを、有することを特徴とする。
【０００７】
本発明に係る杭連結用補強バンドは、長さ方向に連結する２本のコンクリート杭のうち、一方のコンクリート杭の連結側の一端に受け側補強バンドを取り付け、他方のコンクリート杭の連結側の一端に挿入側補強バンドを取り付けて使用される。本発明に係る杭連結用補強バンドは、挿入側補強バンドの挿入部を受け側補強バンドに挿入し、受け側フランジ部と挿入側フランジ部とを接着剤等で固定することにより、２本のコンクリート杭を連結することができる。このとき、連結部分において、受け側補強バンドの外側面から突出する部分が存在しない。このため、受け側補強バンドの外径をコンクリート杭の外径とほぼ同じにすることにより、連結時に杭の外側面からの突出部分が生じるのを防ぐことができる。
【０００８】
本発明に係る杭連結用補強バンドを各連結部分に使用することにより、コンクリート杭が３本以上であっても、外側面からの突出部分を生じることなく連結することができる。本発明に係る杭連結用補強バンドによれば、連結したコンクリート杭を横に並べたとき、隣り合うコンクリート杭の間に隙間ができないため、杭による連続壁構造を容易に形成することができる。
【０００９】
本発明に係るコンクリート杭の連結構造は、一端に、本発明に係る杭連結用補強バンドの前記受け側補強バンドが取り付けられた受け側のコンクリート杭と、一端に、本発明に係る杭連結用補強バンドの前記挿入側補強バンドが取り付けられた挿入側のコンクリート杭とを有し、前記挿入側のコンクリート杭の前記挿入部が、前記受け側のコンクリート杭の前記受け側補強バンドに挿入されて、前記挿入側フランジ部と前記受け側フランジ部とが接着剤で固定されていることを特徴とする。
【００１０】
本発明に係るコンクリート杭の連結構造は、挿入側のコンクリート杭の挿入部が、受け側のコンクリート杭の受け側補強バンドに挿入されているため、連結部分において、受け側補強バンドの外側面から突出する部分が存在しない。このため、受け側補強バンドの外径をコンクリート杭の外径とほぼ同じにすることにより、連結時に杭の外側面からの突出部分が生じるのを防ぐことができる。
【００１１】
本発明に係るコンクリート杭の連結構造によれば、連結したコンクリート杭を横に並べたとき、隣り合うコンクリート杭の間に隙間ができないため、杭による連続壁構造を容易に形成することができる。本発明に係るコンクリート杭の連結構造では、コンクリート杭の重量により、接着剤であっても、挿入側フランジ部と受け側フランジ部とを強固に固定することができる。
【００１２】
本発明に係るコンクリート杭は、少なくとも一端に、本発明に係る杭連結用補強バンドのうち、前記受け側補強バンドまたは前記挿入側補強バンドのいずれか一方が取り付けられていることを特徴とする。本発明に係るコンクリート杭は、本発明に係るコンクリート杭の連結構造を構成することができる。
【発明の効果】
【００１３】
本発明によれば、連結時に外側面からの突出部分が生じるのを防ぐことができる杭連結用補強バンド、コンクリート杭およびコンクリート杭の連結構造を提供することができる。
【図面の簡単な説明】
【００１４】
【図１】本発明の実施の形態の杭連結用補強バンド、コンクリート杭およびコンクリート杭の連結構造を示す（ａ）連結前の断面図、（ｂ）連結状態の断面図である。
【図２】本発明の実施の形態のコンクリート杭の連結構造の、河岸堤防に利用したときの使用状態を示す平面図である。
【発明を実施するための形態】
【００１５】
以下、図面に基づき、本発明の実施の形態について説明する。
図１は、本発明の実施の形態の杭連結用補強バンド、コンクリート杭およびコンクリート杭の連結構造を示している。
図１に示すように、本発明の実施の形態のコンクリート杭の連結構造は、杭連結用補強バンド１と２本のコンクリート杭２，３とを有している。
【００１６】
杭連結用補強バンド１は、受け側補強バンド１１と受け側フランジ部１２と挿入側補強バンド１３と挿入側フランジ部１４とを有している。受け側補強バンド１１は、円筒状を成し、各コンクリート杭２，３と同じ外径を有している。受け側補強バンド１１は、一方のコンクリート杭２の一端２ａに長さ方向に延長するよう取り付けられている。受け側フランジ部１２は、受け側補強バンド１１の先端１１ａから所定の間隔をあけた内周面に、周方向に沿って内側に向かって突出して一体的に設けられている。受け側フランジ部１２は、円環の板状を成している。なお、コンクリート杭２は、コンクリートの内部に一端から他端まで伸びて配置されたＰＣ鋼線４の端部が、受け側フランジ部１２に設けられた複数の挿入孔に挿入されて固定されている。
【００１７】
挿入側補強バンド１３は、円筒状を成し、一端側に各コンクリート杭２，３と同じ外径を有する取付部１３ａを有し、他端側に受け側補強バンド１１の内径より僅かに小さい外径を有する挿入部１３ｂを有している。挿入部１３ｂは、受け側補強バンド１１の先端１１ａから受け側フランジ部１２までの距離よりやや長く、全体が受け側補強バンド１１の先端側に挿入可能に形成されている。また、挿入側補強バンド１３は、取付部１３ａから挿入部１３ｂにかけてテーパー状に徐々に外径が小さくなる中間部１３ｃを有している。挿入側補強バンド１３は、挿入部１３ｂを先端にして、他方のコンクリート杭３の一端３ａに取り付けられている。
【００１８】
挿入側フランジ部１４は、挿入部１３ｂの先端に周方向に沿って内側に向かって突出して一体的に設けられている。挿入側フランジ部１４は、円環の板状を成している。挿入側フランジ部１４は、挿入部１３ｂを受け側補強バンド１１の先端側に挿入したとき受け側フランジ部１２に接するようになっている。なお、コンクリート杭３は、コンクリートの内部に一端から他端まで伸びて配置されたＰＣ鋼線５の端部が、挿入側フランジ部１４に設けられた複数の挿入孔に挿入されて固定されている。
【００１９】
図１（ｂ）に示すように、本発明の実施の形態のコンクリート杭の連結構造は、挿入側のコンクリート杭３の挿入側補強バンド１３の挿入部１３ｂが、受け側のコンクリート杭２の受け側補強バンド１１に挿入されて、挿入側フランジ部１４と受け側フランジ部１２とが接着剤で固定されている。
【００２０】
なお、図１に示す具体的な一例では、コンクリート杭２，３は中空であり、外径が１２００ｍｍ、内径が９００ｍｍである。また、受け側フランジ部１２および挿入側フランジ部１４は、幅が約１５０ｍｍ、厚みが２３ｍｍ、内径が９００ｍｍである。
【００２１】
次に、作用について説明する。
本発明の実施の形態のコンクリート杭の連結構造は、挿入側のコンクリート杭３の挿入部１３ｂが、受け側のコンクリート杭２の受け側補強バンド１１に挿入されているため、連結部分において、受け側補強バンド１１の外側面から突出する部分が存在しない。また、受け側補強バンド１１および挿入側補強バンド１３の取付部１３ａが、各コンクリート杭２，３と同じ外径を有しているため、連結時に各コンクリート杭２，３の外側面からの突出部分が生じるのを防ぐことができる。
【００２２】
本発明の実施の形態のコンクリート杭の連結構造によれば、連結したコンクリート杭を横に並べたとき、隣り合うコンクリート杭の間に隙間ができないため、杭による連続壁構造を容易に形成することができる。このため、その連続壁を堤防の土留めとして利用したり、図２に示すように、河川の流路変更の際の河岸堤防として利用したりすることができる。図２に示す河岸堤防として利用する場合には、例えば、津波が真っ直ぐ河川２１を逆流するのを防止するために、河口２２の位置を横にずらすようにコンクリート杭で河岸堤防４を築き、さらに津波の勢いを削ぐために、河口２２から上流側に向かって突き当たる位置に、流れに対して垂直方向に伸びる防波堤５を築くことが好ましい。
【００２３】
本発明の実施の形態のコンクリート杭の連結構造では、コンクリート杭の重量により、接着剤であっても、挿入側フランジ部１４と受け側フランジ部１２とを強固に固定することができる。また、杭連結用補強バンド１を各連結部分に使用することにより、コンクリート杭が３本以上であっても、外側面からの突出部分を生じることなく連結することができる。
【符号の説明】
【００２４】
１  杭連結用補強バンド
２，３  コンクリート杭
４，５  ＰＣ鋼線
１１  受け側補強バンド
１２  受け側フランジ部
１３  挿入側補強バンド
１３ａ  取付部
１３ｂ  挿入部
１３ｃ  中間部
１４  挿入側フランジ部
【図１】
2014133977.tif 000003
【図２】
2014133977.tif 000004